Podtech/llm-jp-corpus-v4-ja_patent huggingface dataset:
(57)【要約】【課題】  圧力ポットに入れた飲料水に、酸素または空気圧をかける事により、酸素または空気を含ませる、酸素または空気含有飲料水製造用、空気ポンプ付圧力ポットを提供する。【解決手段】  圧力ポット（１）にホース（２）を付け、空気注入ポンプ（３）に繋いだ、酸素または空気含有飲料水作成用圧力ポットを特徴とする。【選択図】図１
2010168105.tif 000002
【特許請求の範囲】
【請求項１】
圧力ポット（１）にホース（２）を付け、空気注入ポンプ（３）に繋いだ、酸素または空気含有飲料水製造用の空気ポンプ付き圧力ポット。
【発明の詳細な説明】
【技術分野】
【０００１】  この発明は、圧力ポットに水を入れておき、酸素または空気圧力をかけるものである。
【背景技術】
【０００２】  従来、圧力ポットに水を入れておき、炭酸ガスボンベを接続して圧力をかけるものとか、市販されているペットボトル入りの酸素含有飲料水は在ったが、圧力ポットに水を入れておき、空気注入ポンプに接続して圧力をかけるものは無かった。
【発明の開示】
【発明が解決しようとする課題】
【０００３】  これは、次のような欠点があった。
ペットボトル入酸素含有水は、開封すると減圧と成る為に、次第に酸素とか空気の含有が減少する。【０００４】    ［細菌学的事由］
胃の中には、ピロリ菌が居る事があり、
この菌は、胃粘膜から離れ無い様に張り付く為に胃炎を起こす原因となり、さらに、胃潰瘍が出来るとその潰瘍部分の周囲に、びっしりと、取り付く性質がある。
特に、胃角部は胃粘膜の襞が、Ｕ字状に胃の内に向って拡がっている形状の為、胃粘膜の襞の、より深い場所に菌が取付き易く、よって同部に胃潰瘍は多発する。
胃炎やその他の病変は、胃液や飲食物が溜まり、菌の取付き易い胃前庭部付近に多い。
しかし、この菌は「嫌気性菌」で在るので、酸素とか空気には排除作用がある事に成る。【０００５】  よって、酸素とか空気を多く含ませた飲料水を飲用する事が望ましいが、従来の物は、酸素入りペットボトルの為に、開封すると、次第に含有が減少して居た。
本本発明は、以上のような欠点を無くす為になされものである。
【課題を解決するための手段】
【０００６】  圧力ポット（１）にホース（２）を付け、空気注入ポンプ（３）に繋ぐ事により、空気注入ポンプ（３）に取り込まれた酸素または空気は、ホース（２）を通り、圧力ポット（１）に送り込まれ、その中に入れて置いた飲料水に高圧により混入される。
【発明の効果】
【０００７】  空気注入ポンプを使うて居る為に、追加空気注入により空気圧力は低下しないので、常に酸素とか空気を多く水に溶け込ませた水を飲用できる。
【発明を実施するための最良の形態】
【０００８】  以下、本発明を実施するための最良の形態について説明する。
圧力ポット（１）にホース（２）を付け、空気注入ポンプ（３）に繋ぐ，本発明は、以上のような構造である。
【図面の簡単な説明】
【０００９】
【図１】本発明の側面図である。
【符号の説明】
【００１０】    １  圧力ポット
２  ホース
３  空気注入ポンプ
【図１】
2010168105.tif 000003
(57)【要約】【課題】  ボンベを地上近くの低い位置で交換できるようにし、さらにボンベを車両搭載位置に引き上げる際の操作力を軽減することにより、安全かつ容易にボンベの交換作業を行うことができるボンベ搭載装置を提供する。【解決手段】  ボンベ搭載装置全体を支軸により垂直状態に回転させた後、リンクを伸ばすことによりボンベ固定ブラケットは更に低い位置に移動できる。またリンクはダンパーに接続しており、ダンパーの反発力によってボンベ固定ブラケットは急激に落下しないし、上に引き上げる際の操作力は軽減される。  このような機構を特徴とするボンベ搭載装置である。【選択図】図１
2010168020.tif 000002
【特許請求の範囲】
【請求項１】
車両上に取り付けられた水平な回転軸により水平状態から垂直状態まで回転可能なベースブラケットと、このベースブラケットにリンクで結ばれ、リンクを伸ばすことにより更に低い位置に下げることのできるボンベ固定ブラケットにより構成されたことを特徴とするボンベ搭載装置。
【請求項２】
前記リンク機構は、ベースブラケットを保持するダンパーに接続しており、この同じダンパーの反発力によってボンベ固定ブラケットを保持する構造を特徴とする請求項１記載のボンベ搭載装置。
【発明の詳細な説明】
【技術分野】
【０００１】  本発明はボンベ搭載装置に関し、特にＬＰＧ（液化石油ガス）ボンベを搭載するフォークリフト等の産業車両に適用して有用なものである。
【背景技術】
【０００２】  従来のボンベ搭載装置は図２に示すように、カウンタウエイト上に設けた支軸６を中心に水平方向に１８０度回転し、さらに支軸５を中心に垂直方向に所定角度傾けこの位置でボンベの交換作業を行っている。
【発明の開示】
【発明が解決しようとする課題】
【０００３】  従来のボンベ搭載装置ではボンベの位置は依然高い位置にあり、ガス充填時５０ｋｇほどになるボンベを持ち上げて乗せることは重労働であり、作業者の腰痛の原因にもなり改善が望まれている。
本発明は上記に鑑みボンベの交換作業をより低い位置で容易に行うことのできるボンベ搭載装置を提供することを目的とする。
【課題を解決するための手段】
【０００４】  上記課題を達成するため本発明の構成は次の点を特徴とする。
水平な回転軸により水平状態から垂直状態まで回転可能なベースブラケットと、このベースブラケットにリンクで結ばれ、リンクを伸ばすことにより更に低い位置に下げることのできるボンベ固定ブラケットにより構成されている。
上記リンク機構は、ベースブラケットを保持するダンパーに接続しており、この同じダンパーの反発力によってボンベ固定ブラケットを保持する構造になっている。
【発明の効果】
【０００５】  本発明のリンク機構によりボンベ交換を地上近くの低い位置で行うことができる。さらにボンベ交換後、上に引き上げる時にダンパーの反発力が保助力として働くので少しの力で引き上げることができる。
【発明を実施するための最良の形態】
【０００６】  以下、本発明の実施の形態について説明する。
（イ）  ベースブラケット（７）は支軸（６）によって水平方向に１８０度回できるよう取り付けられている。
（ロ）  ベースブラケット（７）は支軸（５）により垂直方向に回転できるよう取り付けられている。
（ハ）  ボンベ固定ブラケット（８）はリンク（１）及びリンク（２）によりベースブラケット（７）に結ばれている。
（ニ）  ベースブラケット（７）に支軸（１０）を取付け、この支軸（１０）に取り付けたリンク（４）と連結棒（３）によりダンパー（９）とリンク（１）は結ばれている。
（ホ）  ボンベ固定ブラケット（８）を昇降させる際の案内としてころ（１１）を設ける。
（ヘ）  ボンベ固定ブラケット（８）は最上昇時と最下降時にピン（１２）によりベースブラケット（７）に固定する。
（ト）  ボンベ固定ブラケット（８）にバンド等によりＬＰＧボンベを固定する。
本発明は以上のような構成で、これを使用する時はベースブラケット（７）を支軸（６）により１８０度回転させ装置全体を車両の外側に移動する。
次に支軸（５）によりベースブラケット（７）を垂直方向に所定角度回転させる。この時ボンベ固定ブラケット（８）はころ（１１）で案内されているのでこれに追随する。
次に固定ピン（１２）を抜いてボンベ固定ブラケット（８）を下方に押し下げ、所定位置でピンを戻して固定する。この時ボンベ固定ブラケット（８）はダンパー（９）の反発力で保持されているので急激に落下することはない。
この状態でボンベを交換し、その後ピン（１２）を抜いてボンベ固定ブラケット（８）を上に持ち上げなければならないがボンベとブラケットを合計すると重量は６０ｋｇほどになる。しかしダンパー（９）の反発力がリンクを介して保助力として働くので極めて少しの力で行うことができる。また、ベースブラケット（７）を水平状態に戻す際にもダンパー（９）の力が引き続き働くためその操作力は軽減される。
【図面の簡単な説明】
【０００７】
【図１】  本発明の斜視図
【図２】  車両後方から見た取付状態図
【図３】  本発明の下降時の側面図
【符号の説明】１    リンク
２    リンク
３    連結棒
４    リンク
５    支軸
６    支軸
７    ベースブラケット
８    ボンベ固定ブラケット
９    ダンパー
１０  支軸
１１  ころ
１２  ピン
【図１】
2010168020.tif 000003
【図２】
2010168020.tif 000004
【図３】
2010168020.tif 000005
(57)【要約】 【課題】   近年、ワインや酒、飲料水用などに多くのバッグおよびスパウト部分が開発されてきた。主にユーザーが直接バッグから小出しして使うものであり、多くは前面からの操作を前提にしている。従って、タップのベース部分構造的制約から、液体を最後まで使えないバッグが多い。また、タップ部とベース部が分かれているため、バッグの殺菌や無菌充填に問題がある。そのため完全な滅菌状態でバッグを供給する事ができず、充填時にあらためて殺菌をする必要があったり、無菌充填装置が大がかりになるきらいがあった。【解決手段】   それらを解消するため、バッグに溶着するベース部分に、タップおよび密閉ネジキャップを一体化することにした。バッグへの溶着後滅菌すれば、充填時にキャップをはずすだけで即無菌充填することができる。 【選択図】  図１
2010168085.tif 000002
【特許請求の範囲】
【請求項１】
タップを一体化したスパウト 
【発明の詳細な説明】
【技術分野】
【０００１】
バッグインボックス用の樹脂袋に取り付ける、給排水口に関連するもの。 
【背景技術】
【０００２】
液体用容器に関連して、コストの安い樹脂バッグを段ボール容器で保護し、多量の液体を安価に移送できるのがバッグインボックスと呼ばれる容器である。その容器の液体取り出し口は通常樹脂で作られ、樹脂バッグに溶着するベース部分と、液体を取り出すためのタップ部分に分かれている。 
【発明の開示】
【発明が解決しようとする課題】
【０００３】
バッグインボックスの樹脂バッグは、充填、供給の為の取り出し口が付いているが、一般的には樹脂バッグに溶着するベース部分がポリエチレンで作られ、袋の内層部分のポリエチレンに溶着される。そして、いろいろな形状のタップがＡＢＳやゴムなどの他の材料で作られ、液体を注入後ベースにはめ込まれるようになっている。近年、ワインや酒、飲料水用などに多くのバッグおよびスパウト部分が開発されてきた。主にユーザーが直接バッグから小出しして使うものであり、多くは前面からの操作を前提にしている。従って、タップのベース部分構造的制約から、液体を最後まで使えないバッグが多い。
また、タップ部とベース部が分かれているため、バッグの殺菌や無菌充填に問題がある。そのため完全な滅菌状態でバッグを供給する事ができず、充填時にあらためて殺菌をする必要があったり、無菌充填装置が大がかりになるきらいがあった。   
【課題を解決するための手段】
【０００４】
それらを解消するため、バッグに溶着するベース部分に、タップおよび密閉ネジキャップを一体化することにした。バッグへの溶着後滅菌すれば、充填時にキャップをはずすだけで即無菌充填することができる。利用時は専用のサーバーにキャップを付けた状態で逆さまにのせ、正常位置を確認してキャップをはずし、スパウトをチャックで固定すると、下部から（３）のタップ軸を押し上げることで、簡単に液体が供給される。タップ軸の押し上げは簡単なレバーを介して、液体に触れずに簡単にできる。 
【発明の効果】
【０００５】
バッグの生産後、滅菌状態での供給が簡単にできるようになる。充填については簡単なキャップの取り外しと、液体の供給が滅菌状態で行われれば良いので、ハンディタイプの無菌充填装置が簡単に構成できる。また、利用時にはタップがボックスの下部にくるので、液体を最後まで供給することができる。万一少し液体が残っても、箱から袋を取り出し液体を利用することも簡単にできる。また密閉キャップが付いているので、輸送時の水漏れを防止できる。
【産業上の利用可能性】
【０００６】
水や酒、ワインなどの液体容器として利用が拡大しているが、殺菌・洗浄不要で簡単に無菌充填が可能な本バッグは、初期投資が少ないため小ロットの地酒や飲料、ミネラルウォーターなどを含む、広範な利用範囲が考えられるので、利用可能性は大である。 
【図面の簡単な説明】
【０００７】
【図１】全体の構成図およびタップ解放時の状態図である。
【符号の説明】
【０００８】
１）袋に溶着するスパウトのベース部
２）液体封止用のシリコンラバーシール
３）タップ出口と一体のタップ軸
４）ステンレススプリング
５）スパウトキャップ 
６）押し上げ方向をしめす
７）液体の流れをしめす
【図１】
2010168085.tif 000003